(57)【特許請求の範囲】
【請求項１】
被写体の結像位置に配置されている撮像手段と、カメラ本体に取り付けられていて前記撮像手段の被写体側の面の近傍に配置されている第１部材及び該第１部材よりも被写体側に配置されている第２部材と、前記第１部材と前記第２部材との間に配置されていて取付手段によりカメラ本体に対して光軸の垂直方向に着脱可能なフォーカルプレンシャッタユニットと、を備えていて、前記取付手段は、前記第１部材又は第２部材に設けられていて前記フォーカルプレンシャッタユニットの着脱作動を案内し装着状態において光軸に沿った方向への前記フォーカルプレンシャッタユニットの位置規制を行うガイド部と、前記第１部材又は第２部材に設けられていて前記フォーカルプレンシャッタユニットの光軸と垂直な方向への位置規制を行う挿入位置規制部と、前記フォーカルプレンシャッタユニットに設けられていて装着状態において前記挿入位置規制部に接触する係合部と、からなることを特徴とするフォーカルプレンシャッタを備えたカメラ。
【請求項２】
前記ガイド部に、前記フォーカルプレンシャッタユニットを光軸に沿った方向へ押圧するための付勢手段が設けられていることを特徴とする請求項１に記載のフォーカルプレンシャッタを備えたカメラ。
【請求項３】
前記フォーカルプレンシャッタユニットの装着状態において該フォーカルプレンシャッタユニットを光軸と垂直な方向へ押圧するための付勢手段が設けられていることを特徴とする請求項１又は２に記載のフォーカルプレンシャッタを備えたカメラ。
【請求項４】
前記第１部材又は第２部材と、前記フォーカルプレンシャッタユニットとに、該フォーカルプレンシャッタユニットの装着状態において接続されるコネクタが設けられていることを特徴とする請求項１乃至３の何れかに記載のフォーカルプレンシャッタを備えたカメラ。
【請求項５】
前記第２部材が、ミラーボックスであることを特徴とする請求項１乃至４の何れかに記載のフォーカルプレンシャッタを備えたカメラ。
【発明の詳細な説明】
【０００１】
【発明の属する技術分野】
本発明は、フォーカルプレンシャッタを備えたカメラに関する。
【０００２】
【従来の技術】
最近のカメラ用フォーカルプレンシャッタは、主に、シャッタ羽根を二つ（先羽根（群）と後羽根（群））備えていて、それらを、シャッタ地板，中間板，補助地板と称されている３枚の板部材で形成した二つの羽根室内に別々に配置した構成をしている。そして、このタイプのシャッタは、フィルム使用のカメラにもデジタルカメラにも用いられており、撮影時には、二つのシャッタ羽根を所定の時間間隔で順に作動させ、それらによって形成されるスリットにより、長方形をした撮像面の一つの辺から対向する辺に向けて、連続的に露光するようにしている。
【０００３】
また、デジタルカメラにのみ用いられるフォーカルプレンシャッタとしては、シャッタ羽根を一つしか備えていないものがあり、その場合には、上記の３枚の板部材のうち中間板を備えておらず、シャッタ地板と補助地板によって一つの羽根室を構成している。そして、このタイプのものは、通常は撮像面を被写体光にさらしておき、撮影の終了時にだけ一時的に撮像面を覆うようにしている。このように、フォーカルプレンシャッタには、主に二つのタイプのものがあるが、それらは、シャッタ羽根を二つ備えているか一つ備えているかの違いであって、いずれのものも、ユニットとして製作しておき、カメラ本体へは、二つの地板のうち少なくとも一方を複数のビスによって取り付けるようにしている。
【０００４】
更に、シャッタユニットをカメラ本体に組み付けるとき、カメラ本体側の機構との間で幾つかの機能上での接続が必要になる。例えば、フィルムの巻上げ機構に連動してシャッタをセットする構成を採用した場合には、歯車などによる両者間の接続が必要になるし、シャッタのセット用モータやシャッタ羽根を直接駆動するためのモータをシャッタユニットに取り付けた場合にはコネクタが必要になる。また、クイックリターン式のミラーを備えた一眼レフカメラであって、ミラー機構によってシャッタをレリーズする場合は、両者間に連動構成が必要になるし、電磁石によってシャッタ羽根の作動開始を制御する場合にもコネクタが必要になる。
【０００５】
シャッタユニットは、このようなことを考慮しながらカメラ本体に取り付けられるが、可動ミラーを備えた一眼レフカメラの場合には、このようにしてシャッタユニットがカメラ本体に取り付けられた後、シャッタユニットの被写体側にミラーボックスを取り付け、撮影レンズはその前面に取り付けられる。そのため、従来、フォーカルプレンシャッタを修理する場合は、最初に撮影レンズを取り外した後、少なくともミラーボックスを取り外しておいてから、カメラ本体との電気的な接続を解き、シャッタユニットの取り付けビスを外すようにしており、修理後に取り付ける場合には、それとは逆の作業を行うようにしていた。また、フォーカルプレンシャッタは、ハーフミラーを備えた一眼レフカメラにも、レンジファインダ付きカメラにも、更には、ファインダ形式を問わずにズームレンズ付きカメラにも使用されるが、それらの場合も、修理に際しては略同様の作業を必要としていた。
【０００６】
【発明が解決しようとする課題】
ところで、カメラ本体からシャッタユニットを取り外すのは、故障したがために修理をする場合とは限らない。故障をしたわけではないが、故障が起こりにくくするためにオーバーホールして点検したり、それによって新しいユニットと交換したりする場合がある。特に、デジタルカメラの場合には、その使い勝手の特徴から、フィルム使用のカメラよりも撮影回数が多くなるため、所定の期間が経過した後には新しいシャッタユニットと交換して、長期にわたって安心して使用できるようにしたいという要求が多くなっている。ところが、上記のようなシャッタユニットの着脱作業は面倒であって、しかも、単に順番に作業を行えばよいというものではなく、例えばフランジバックの再調整が必要になるなど工数が大きくて、迅速且つ低コストで行うことができなかった。
【０００７】
本発明は、このような問題点を解決するためになされたものであり、その目的とするところは、フォーカルプレンシャッタのユニットを簡単に着脱できるように構成したカメラを提供することである。
【０００８】
【課題を解決するための手段】
上記の目的を達成するために、本発明のフォーカルプレンシャッタを備えたカメラは、被写体の結像位置に配置されている撮像手段と、カメラ本体に取り付けられていて前記撮像手段の被写体側の面の近傍に配置されている第１部材及び該第１部材よりも被写体側に配置されている第２部材と、前記第１部材と前記第２部材との間に配置されていて取付手段によりカメラ本体に対して光軸の垂直方向に着脱可能なフォーカルプレンシャッタユニットと、を備えていて、前記取付手段は、前記第１部材又は第２部材に設けられていて前記フォーカルプレンシャッタユニットの着脱作動を案内し装着状態において光軸に沿った方向への前記フォーカルプレンシャッタユニットの位置規制を行うガイド部と、前記第１部材又は第２部材に設けられていて前記フォーカルプレンシャッタユニットの光軸と垂直な方向への位置規制を行う挿入位置規制部と、前記フォーカルプレンシャッタユニットに設けられていて装着状態において前記挿入位置規制部に接触する係合部と、からなるようにする。
【０００９】
また、本発明のフォーカルプレンシャッタを備えたカメラにおいては、前記ガイド部に、前記フォーカルプレンシャッタユニットを光軸に沿った方向へ押圧するための付勢手段を設けると、より好適なものとなる。
【００１０】
また、本発明のフォーカルプレンシャッタを備えたカメラにおいては、前記フォーカルプレンシャッタユニットの装着状態において該フォーカルプレンシャッタユニットを光軸と垂直な方向へ押圧するための付勢手段が設けられているようにすると、該フォーカルプレンシャッタユニットの装脱方向への位置が安定する。
【００１１】
更に、本発明のフォーカルプレンシャッタを備えたカメラにおいては、前記第１部材又は第２部材と、前記フォーカルプレンシャッタユニットとに、該フォーカルプレンシャッタユニットの装着状態において接続されるコネクタが設けられているようにすると、電気的に制御されるフォーカルプレンシャッタの場合に装脱作業が容易になり、前記第２部材が、ミラーボックスであるようにすると、一眼レフカメラにとって極めて有利な構成となる。
【００１２】
【発明の実施の形態】
本発明の実施の形態を、図１及び図２に示した実施例によって説明する。本実施例は、可動ミラーを備えたフィルム使用の一眼レフカメラに本発明を適用したものであり、図１はその分解斜視図である。また、図２は図１に示したミラーボックスの一部を矢印Ａ方向から視た平面図であって、図の下方が撮影レンズ側となっている。先ず、フィルム室を構成する本実施例の筐体１は、図示していない手段によってカメラボディーに固定されており、左右に、フィルムのパトローネ室１ａと巻取り室１ｂとを有していて、中央には、露光用の開口部１ｃを有している。また、その開口部１ｃを囲む位置には、所定の高さを有する四つの座１ｄ，１ｅ，１ｆ，１ｇが設けられていて、それらの端面にはネジ孔が形成されている。
【００１３】
ミラーボックス２は、合成樹脂製であって、実際には、ミラーやミラー駆動機構が取り付けられているが、図面を見やすくするために、それらと、それらの取付部の詳細な図示は省略されている。このミラーボックス２は、被写体側に筒部２ａを有しているが、そこには、フランジを有する交換レンズの取付部材が取り付けられる。また、このミラーボックス２には、筐体１の開口部１ｃに対応して配置される開口部２ｂと、ファインダ光学系への光路となる開口部２ｃとが形成されており、更に、図示していないミラー駆動機構と可動ミラーとの連結に必要な開口部２ｄが形成されている。
【００１４】
また、上記の開口部２ｂを形成している板面には、上方に張り出した二つの張出部２ｅ，２ｆと、右側に張り出した張出部２ｇと、左側に張り出した張出部２ｈとが形成されており、開口部２ｂと張出部２ｈとの間には、下方を開放した切欠き部２ｉが形成されている。そして、張出部２ｅ，２ｆには、筐体１側にピン２ｊ，２ｋが立設されている。また、張出部２ｇには上下に二つの孔２ｍ，２ｎが形成され、張出部２ｈにも上下に二つの孔２ｐ，２ｑが形成されていて、ビス３，４，５，６をそれらに通し、筐体１の四つの座１ｄ，１ｅ，１ｆ，１ｇに螺合させることによって、筐体１とミラーボックス２を一体化している。
【００１５】
更に、図２に示すように、張出部２ｇには、筐体１側にガイド部２ｒが形成されており、その内側には、後述の底蓋に設けられているような細長い板ばね７が、カメラの上下方向に長くなるように配置し取り付けられている。また、図示していないが、張出部２ｈの筐体１側にも、このようなガイド部と板ばねが対称的に設けられている。尚、図１において、切欠き部２ｉの上方であって被写体側の位置に、プリント配線板用コネクタのソケット８が配置されているが、このソケット８は、カメラボディーに固定された図示していないプリント配線板に取り付けられている。
【００１６】
本実施例のシャッタユニット９はシャッタ地板９ａを有している。そして、そのシャッタ地板９ａには、上方位置に二股の二つのフック部９ｃ，９ｄが設けられ、下方位置には二つの突出部９ｅ，９ｆが設けられており、更に、左右位置には、それぞれ挿入部９ｇ，９ｈが設けられている。また、開口部９ｂの左側の被写体側には、周知のようにシャッタ駆動機構９ｉが設けられている。このシャッタ駆動機構９ｉは、本来は複数の部材によって複雑に構成されているが、それらの具体的な構成は本発明とは直接関係がないので、図１においてはブロックで示してある。そして、このシャッタ駆動機構９ｉの被写体側には、シャッタ駆動機構９ｉに用いられている電気部品用に、プリント配線板９ｊが取り付けられ、その上端には、プリント配線板用コネクタの複数のプラグ９ｋが設けられている。
【００１７】
また、周知のように、シャッタ地板９ａの背面側（被写体側とは反対側）には羽根室が構成され、その羽根室内にはシャッタ羽根９ｍが配置されているが、そのような羽根室は、シャッタ羽根が一つの場合には、シャッタ地板９ａを含んだ二つの板部材の間に構成され、シャッタ羽根が二つの場合には、シャッタ地板９ａを含んだ三つの板部材によって二つ構成されるようになっている。本実施例の場合には、シャッタ地板９ａ以外の地板は、その外形がシャッタ地板９ａの外形よりも小さいため、図１においては示されていないが、上記のようなフック部９ｃ，９ｄ、突出部９ｅ，９ｆ、挿入部９ｇ，９ｈは、それらの板部材に設けるようにしても差し支えない。
【００１８】
本実施例のカメラは、底蓋１０を有していて、四つのビス１１，１２，１３，１４により、図示していないカメラボディーに取り付けられている。そして、底蓋１０は、カメラの内側の面（図１の上面）に、細長い板ばね１５を取り付けており、その両端の近傍を弾性押圧部１５ａ，１５ｂとしている。上記したように、ミラーボックス２の張出部２ｇのガイド部２ｒに設けられた板ばね７も、この板ばね１５と同じ形状をしているが、板ばね７の場合には、二つの押圧部１５ａ，１５ｂのうち一方だけを備えた構成にしても差し支えない。また、そのような板ばね７の構成は、張出部２ｈの背面側にある図示していないガイド部に設けられた板ばねの場合も同じである。
【００１９】
次に、本実施例におけるシャッタユニット９の着脱方法を説明する。上記したように、本実施例におけるミラーボックス２は、四つのビス３，４，５，６により、カメラボディーに固定された筐体１の座１ｄ，１ｅ，１ｆ，１ｇに取り付けられている。そして、この筐体１とミラーボックス２は、シャッタユニット９を着脱するとき、カメラボディーから取り外されることがない。従って、フランジバックは、シャッタユニット９の着脱によって再調整する必要がなく、常に一定に保たれていることになる。
【００２０】
このような状態において、シャッタユニット９をカメラ外から装着する場合には、先ず、底蓋１０をビス１１，１２，１３，１４で固定する前に、シャッタユニット９をカメラの下方から、筐体１とミラーボックス２の間に挿入する。その際、シャッタ地板９ａの挿入部９ｇを、ミラーボックス２のガイド部２ｒ内で板ばね７に接触させるようにし、他方の挿入部９ｈを、張出部２ｈに設けられた図示していないもう一つのガイド部内で板ばねに接触させるようにする。そのため、シャッタユニット９は、それらの板ばねによって被写体側に付勢力を受けながら、上方へ移動させられていく。また、このとき、ミラーボックス２に切欠き部２ｉが形成されているので、シャッタ駆動機構９ｉの移動が妨げられるようなことはない。
【００２１】
このような挿入操作の最終段階になると、一方では、プリント配線板９ｊのプラグ９ｋがソケット８に接続されて、シャッタユニット９とカメラ本体側とが機能的に連結される。また、他方では、シャッタ地板９ａのフック部９ｃ，９ｄがミラーボックス２のピン２ｊ，２ｋに係合し、挿入位置が規制される。更に、光軸に対するシャッタユニット９の垂直姿勢は、上記の板ばね７ともう一つの板ばねによって確実に保たれるが、ガイド部材２ｒの形状や他の手段によって、シャッタユニット９の垂直姿勢が維持されるようになっている場合は、板ばね７などは必ずしも必要なものではない。
【００２２】
そして、最後に、ビス１１，１２，１３，１４によって底蓋１０を固定するとき、板ばね１５の弾性押圧部１５ａ，１５ｂがシャッタ地板９ａの突出部９ｅ，９ｆを押すことによって、シャッタユニット９の上下方向の装着位置が確実に規制されるようにしている。これは、フック部９ｃ，９ｄとピン２ｊ，２ｋの係合するところには、僅かなクリアランスの存在してしまう可能性があるからであるが、そのような心配のない場合には、板ばね１５は必ずしも必要ではない。また、このことからも分かるように、板ばね１５を設けている場合には、フック部９ｃ，９ｄを、フック機能がなく単にピン２ｊ，２ｋに接触するだけの機能を有する部位にしてもよい場合がある。
【００２３】
他方、修理や交換などの目的で、シャッタユニット９をカメラ本体から取り出したい場合は、底蓋１０を外してシャッタユニット９をそのまま下方へ引き出せばよい。その際、シャッタユニット９を指で摘んで引き出すように構成してもよいが、そのようにした構成は、カメラのコンパクト化やデザインに与える影響が少なくない。そこで、シャッタユニット９の取り出しを容易にするための構成としては、例えば、シャッタ地板９ａに窪みや孔などを形成しておき、そこに冶具を引っ掛けて引き出すようにすることが考えられる。しかしながら、本発明は、そのような引き出し構成を限定されるものではない。
【００２４】
尚、本実施例においては、ピン２ｊ，２ｋをミラーボックス２に設け、フック部９ｃ，９ｄをシャッタユニット９に設けているが、ミラーボックス２にフック部を設け、シャッタユニット９にピンを設けるようにしても差し支えない。また、シャッタユニット９の上下位置を規制するために、ミラーボックス２とシャッタユニット９との間にクリック機構を構成してもよく、その場合の具体的な例としては、ミラーボックス２に係止部付きの板ばねを設け、シャッタユニット９には該係止部に係合する凹部を設けた構成が考えられる。更に、これまでは、カメラ内でシャッタユニット９を案内する構成や位置規制を行う構成を、ミラーボックス２との間に設けることで説明したが、上記のようにしてミラーボックス２に設けられる構成の全て又は一部を、筐体１などの他のカメラ本体側の部材に設けても差し支えない。
【００２５】
また、本実施例においては、シャッタユニット９をカメラの下方から着脱する場合で説明したが、本発明は、そのような場合に限定されるものではない。即ち、最近ではカメラのデザインも多様化する傾向にある。特に、デジタルカメラの場合には、光学ファインダを必要としないものが多いし、フィルムを配置する必要もない。そのため、デザインの自由度は極めて大きい。従って、そのようなカメラの場合には、上記のようなシャッタユニットの着脱は、カメラの横方向から行うようにする場合もあり得るし、上方から行うようにする場合もあり得る。更に、本実施例においては、カメラボディー側にコネクタのソケット８を設け、シャッタユニット９側にプラグ９ｋを設けているが、それらを逆に配置するようにしても差し支えない。
【００２６】
また、本発明は、シャッタユニットとカメラボディーとの機能的な接続を、上記の実施例のように、電気的なコネクタによって行うものに限定されない。コネクタを用いずに電気的に接続するようにしたものでも構わないし、機械的に接続するようにしたものでも構わない。また、電気的な接続と機械的な接続の両方を併設したものであっても差し支えない。更に、本発明は、ハーフミラーを備えた一眼レフカメラにも適用することができるし、レンジファインダを備えたカメラにも適用することが可能である。
【００２７】
【発明の効果】
以上のように、本発明は、フォーカルプレンシャッタのユニットを、光軸方向とは垂直な方向へ移動させることにより、カメラ内へ装着したり、カメラ内から取り外したりすることができるようにしたものであるから、シャッタの修理，点検や交換などをする場合に有利である。また、そのシャッタユニットの着脱に際し、光軸上に配置されている部材を取り外す必要がないので、作業が極めて簡単であり、しかも、フランジバックの再調整なども必要がなくなるので、工数の削減が可能になる。
【図面の簡単な説明】
【図１】本実施例を示した分解斜視図である。
【図２】図１に示したミラーボックスの一部を矢印Ａ方向から視た平面図であって、下方が撮影レンズ側となっている。
【符号の説明】
１                            筐体
１ａ                          パトローネ室
１ｂ                          巻取り室
１ｃ，２ｂ，２ｃ，２ｄ，９ｂ  開口部
１ｄ，１ｅ，１ｆ，１ｇ        座
２                            ミラーボックス
２ａ                          筒部
２ｅ，２ｆ，２ｇ，２ｈ        張出部
２ｉ                          切欠き部
２ｊ，２ｋ                    ピン
２ｍ，２ｎ，２ｐ，２ｑ        孔
２ｒ                          ガイド部
３，４，５，６，１１，１２，１３，１４  ビス
７，１５                      板ばね
８                            ソケット
９                            シャッタユニット
９ａ                          シャッタ地板
９ｃ，９ｄ                    フック部
９ｅ，９ｆ                    突出
９ｇ，９ｈ                    挿入部
９ｉ                          シャッタ駆動機構
９ｊ                          プリント配線板
９ｋ                          プラグ
９ｍ                          シャッタ羽根
１０                          底蓋
１５ａ，１５ｂ                弾性押圧部
【図１】
0005065558.tif 000002
【図２】
0005065558.tif 000003